(57)【要約】【課題】装着者の手首の太さの違いに対応することができ、尺骨突起によってバンドが浮いた状態とならず、脈波測定用センサーなどのセンサーが、手の平側や手の甲側の手首側に密着して適度な押圧力で押圧され、しかも、運動中、トレーニング中などにおいて位置がずれることなく、センサーによる正確な測定を実施することができる手首装着型の生体測定装置用のバンドを提供する。【解決手段】生体の情報を測定するセンサーを搭載する生体測定装置を手首に装着するための生体測定装置用のバンドであって、手首の断面形状に略合致し、手首の尺骨側がまたは橈骨側が開放した略Ｕ字形状のバンド本体を有し、バンド本体は、前記センサーの検出面側が手首側に露出するように装着用開口部を備え、バンド本体は、手首に装着した状態で、開放端部同士が接近する方向に内側に付勢された状態となり、前記センサーの検出面側を手首側に押圧するように構成されている。【選択図】図１
2008168054.tif 000002
【特許請求の範囲】
【請求項１】
生体の情報を測定するセンサーを搭載する生体測定装置を手首に装着するための生体測定装置用のバンドであって、
手首の断面形状に略合致し、手首の尺骨側または橈骨側が開放した略Ｕ字形状のバンド本体を有し、
前記バンド本体は、前記センサーの検出面側が手首側に露出するように装着用開口部を備え、
前記バンド本体は、手首に装着した状態で、開放端部同士が接近する方向に内側に付勢された状態となり、前記センサーの検出面側を手首側に押圧するように構成されていることを特徴とする手首装着型の生体測定装置用のバンド。
【請求項２】
前記装着用開口部が、前記バンド本体の手の平側に形成されていることを特徴とする請求項１に記載の手首装着型の生体測定装置用のバンド。
【請求項３】
前記装着用開口部が、前記バンド本体の手の甲側に形成されていることを特徴とする請求項１に記載の手首装着型の生体測定装置用のバンド。
【請求項４】
前記バンド本体の手の甲側の開放端部が、手の平側の開放端部よりも長さが短く形成されていることを特徴とする請求項１から３のいずれか１つに記載の手首装着型の生体測定装置用のバンド。
【請求項５】
前記バンド本体の手の甲側の開放端部と手の平側の開放端部が、相互に接近する方向に湾曲されていることを特徴とする請求項１から４のいずれか１つに記載の手首装着型の生体測定装置用のバンド。
【請求項６】
前記バンド本体が、弾性力を有する可撓性部材から構成されていることを特徴とする請求項１から５のいずれか１つに記載の手首装着型の生体測定装置用のバンド。
【請求項７】
前記バンド本体に、手首に装着した状態で、開放端部同士を接近する方向に内側に付勢する弾性部材が介装されていることを特徴とする請求項１から６のいずれか１つに記載の手首装着型の生体測定装置用のバンド。
【請求項８】
前記バンド本体の手首側表面に、凹凸部が形成されていることを特徴とする請求項１から７のいずれか１つに記載の手首装着型の生体測定装置用のバンド。
【請求項９】
前記バンド本体に、厚さ方向に貫通する貫通孔が形成されていることを特徴とする請求項１から８のいずれか１つに記載の手首装着型の生体測定装置用のバンド。
【請求項１０】
前記バンド本体が、複数のバンド本体部材を相互に連結して構成されていることを特徴とする請求項１から９のいずれか１つに記載の手首装着型の生体測定装置用のバンド。
【請求項１１】
前記バンド本体が、前記装着用開口部が形成された手の平側のバンド本体部材と、手の甲側のバンド本体部材と、これらを連結する連結部とから構成されていることを特徴とする請求項１０に記載の手首装着型の生体測定装置用のバンド。
【請求項１２】
前記バンド本体が、前記装着用開口部が形成された手の甲側のバンド本体部材と、手の平側のバンド本体部材と、これらを連結する連結部とから構成されていることを特徴とする請求項１０に記載の手首装着型の生体測定装置用のバンド。
【請求項１３】
前記バンド本体の手の甲側の開放端部が、手首の尺骨突起近傍まで延設されていることを特徴とする請求項１から１２のいずれか１つに記載の手首装着型の生体測定装置用のバンド。
【請求項１４】
前記バンド本体の手の甲側の開放端部が、手首の尺骨突起を超えて延設されているとともに、尺骨突起露出用の切り欠き部または開口部が形成されていることを特徴とする請求項１から１２のいずれか１つに記載の手首装着型の生体測定装置用のバンド。
【請求項１５】
前記バンド本体の手の甲側の開放端部が、手首の尺骨突起を超えて該尺骨突起を避けるように延設されていることを特徴とする請求項１から１２のいずれか１つに記載の手首装着型の生体測定装置用のバンド。
【請求項１６】
前記バンド本体が、複数の略平行なバンド部材から構成されていることを特徴とする請求項１から１５のいずれか１つに記載の手首装着型の生体測定装置用のバンド。
【請求項１７】
前記複数の略平行なバンド部材の長さが相違することを特徴とする請求項１６に記載の手首装着型の生体測定装置用のバンド。
【請求項１８】
前記複数の略平行なバンド部材の付勢力が相違することを特徴とする請求項１６または１７に記載の手首装着型の生体測定装置用のバンド。
【請求項１９】
前記複数の略平行なバンド部材を相互に連結するブリッジ部材を備えることを特徴とする請求項１６から１８のいずれか１つに記載の手首装着型の生体測定装置用のバンド。
【請求項２０】
前記バンド本体に、手の平側の開放端部と手の甲側の開放端部とを締め付ける補助バンド部材が装着されていることを特徴とする請求項１から１９のいずれか１つに記載の手首装着型の生体測定装置用のバンド。
【請求項２１】
前記補助バンド部材が、弾性部材から構成されていることを特徴とする請求項２０に記載の手首装着型の生体測定装置用のバンド。
【請求項２２】
前記生体測定装置を、前記バンド本体の前記装着用開口部に着脱自在に装着することができるように構成されていることを特徴とする請求項１から２１のいずれか１つに記載の手首装着型の生体測定装置用のバンド。
【請求項２３】
前記生体測定装置を、前記バンド本体の前記装着用開口部にスライド式に着脱自在に装着することができるように構成されていることを特徴とする請求項２２に記載の手首装着型の生体測定装置用のバンド。
【請求項２４】
前記生体測定装置を、前記バンド本体の前記装着用開口部に部分的に固定した状態となるように着脱自在に装着することができるように構成されていることを特徴とする請求項２２または２３に記載の手首装着型の生体測定装置用のバンド。
【請求項２５】
前記生体測定装置が、脈波を測定するため脈波測定装置、体温を測定するための体温測定装置、発汗度を測定するための発汗測定装置のうちの少なくとも１つ、またはそれらの組み合わせの測定装置であることを特徴とする請求項１から２４のいずれか１つに記載の手首装着型の生体測定装置用のバンド。
【発明の詳細な説明】
【技術分野】
【０００１】
本発明は、生体の情報を測定するセンサーを搭載する生体測定装置、例えば、脈波を測定するため脈波測定装置、体温を測定するための体温測定装置、発汗度を測定するための発汗測定装置などを手首に装着するための手首装着型の生体測定装置用のバンドに関する。
【背景技術】
【０００２】
従来より、運動トレーニングにおいて、過不足のない運動トレーニングを実現する方法の１つとして、運動強度から算出される心拍数を運動トレーニング指標として用い、運動量を調整する方法が知られている。
【０００３】
すなわち、運動強度とは、運動の強さや身体にかかる負荷を指し示す指標で、最大酸素摂取量を１００％としてその何％で運動するかを示すものである。このような運動強度を用いて、運動トレーニングなどを行おうとする際に、目標とする運動強度である目標運動強度を設定し、この目標運動強度に相当する心拍数である目標心拍数で、運動量を管理する方法である。
【０００４】
このような運動強度は、運動強度の数値が大きいほどエネルギー消費量が増え、身体にかかる負荷が大きくなり、肝臓や筋肉に蓄積している糖質をエネルギー源とし、その逆の低い運動強度においては脂質をエネルギー源としている。
【０００５】
これらを鑑みて、糖質と脂質とのどちらを利用してエネルギー源とするかが多く議論されており、この考え方を身体の筋力アップやダイエット、生活習慣病の予防などに適用しようという提案も多い。
【０００６】
ところで、運動強度は、行う運動やその種別によってその数値が特定されているものではなく、また、同じ運動を行ったとしても個人によってその数値は異なり、その数値を正確に知るには、長時間運動時のエネルギー消費量は、酸素摂取量と概ね比例するものであるので、運動中の酸素摂取量を計測する必要がある。しかし、そのために大掛かりな装置と専門的な知識とが必要で、一般にその数値を知ることは難しい。
【０００７】
このため、近年では、運動中の酸素摂取量を計測する代わりに、酸素摂取量と概ね比例する心臓の心拍数を基に数値化され、身体にかかる負荷を心拍数をもって把握することが行われている。
【０００８】
心拍数の測定にあっては、指を手首の内側や首に当てて、皮膚が心臓の鼓動に応じて振動する様子をその指で感じることをもって測ることができるが、目標心拍数を自分なりに設定して心拍数を運動トレーニング指標とすることが盛んに行われるようになってくると、運動中やトレーニング直後であっても心拍数を測りたいという要望があり、そのような状況にあっても簡便に心拍数を測定できる心拍計が求められるようになってきた。このような事情から、近年、多くの電子心拍計の提案がなされている。
【０００９】
このような電子心拍計としては、一般に心電位検出方式が広く知られており、例えば、指や胸部に脈波を検出する電極を持ったベルト状の脈波検出部を装着し、これとは独立した表示部に有線または無線で情報を送信し、表示するものがある。表示部は、腕などに装着して脈波検出部が検出した脈波の周期から心拍数を求めて表示する。もちろん、脈波検出部と表示部を一体化したものもある。
【００１０】
脈波検出部には、このような電極を用いた電極式の他に、血流の変化を光で捕らえる光学式や、血圧の変化を、静電式圧力センサーを用いて圧力で測定する圧力式などもある。
【００１１】
ところで、このような電子心拍計において、運動中やトレーニング直後であっても心拍数を測定することができるようにするために、特許文献１（特開昭５３−３２７６５号公報）には、脈波を測定するための脈波測定用センサーなどを搭載した手首装着型の生体測定装置が提案されている。
【００１２】
すなわち、手首装着型の生体測定装置として、図２２に示したように、特許文献１の健康管理腕時計１００が提案されている。この健康管理腕時計１００は、腕時計本体１０２の手首側の裏面に、脈波測定用センサー１０４、体温測定用センサー１０６を配置している。そして、図２３に示したように、従来タイプの時計バンドである腕時計バンド１０８を手首に装着することによって、腕時計本体１０２を手の平側に位置させることによって、体温測定用センサー１０６で測定した体温と、脈波測定用センサー１０４が検出した脈波の周期から求めた心拍数を、腕時計本体１０２の表示部１１０に表示するように構成されている。
【特許文献１】特開昭５３−３２７６５号公報
【特許文献２】実用新案登録第２５５３０９７号公報
【特許文献３】特開平１１−２３９５０６号公報
【発明の開示】
【発明が解決しようとする課題】
【００１３】
ところで、このような特許文献１に開示されるような健康管理腕時計１００では、脈波測定用センサー１０４、体温測定用センサー１０６による正確な測定を実施するためには、腕時計本体１０２の手首側の裏面に配置した脈波測定用センサー１０４、体温測定用センサー１０６を、手首の手の平側に密着して押圧する必要がある。
【００１４】
しかしながら、この健康管理腕時計１００では、従来タイプの時計バンドである腕時計バンド１０８を用いているので、装着者の手首の太さの違いに対応することはできないものである。
【００１５】
すなわち、装着者の手首の太さが腕時計バンド１０８よりも細い場合には、腕時計本体１０２の手首側の裏面に配置した脈波測定用センサー１０４、体温測定用センサー１０６が、手首の手の平側に密着して適度な押圧力で押圧されずに、センサーによる正確な測定を実施することができないことになる。また、この場合に、腕時計本体１０２が運動中、トレーニング中などにおいて位置がずれて、脈波測定用センサー１０４による脈波の測定が行えない場合も発生することになる。
【００１６】
また、脈波測定用センサー１０４で脈波の測定を行うためには、腕時計バンド１０８を尺骨突起の位置に位置させる必要があるが、この尺骨突起によって、腕時計バンド１０８、腕時計本体１０２が浮いた状態となる。その結果、脈波測定用センサー１０４、体温測定用センサー１０６が、手首の手の平側に密着して適度な押圧力で押圧されずに、センサーによる正確な測定を実施することができないことになる。
【００１７】
さらに、従来タイプの時計バンドである腕時計バンド１０８では、運動中やトレーニング中において、フィット感にも欠けることになり、運動やトレーニングを阻害するおそれもある。また、腕時計バンド１０８を手首に装着する操作も、例えば、中止め部材などで係止するなど複雑な操作が必要であり、いわゆるワンタッチで装着することができないものである。
【００１８】
このような特許文献１の従来タイプの腕時計バンド１０８の代わりに、特許文献２（実用新案登録第２５５３０９７号公報）に開示されるような手首血圧計用カフを用いることも考えられる。
【００１９】
この特許文献２の手首血圧計用カフ２００は、図２４に示したように、帯体２０２を形成する外側シート２０４と内側シート２０６との間に、空気袋２０８を内部に配置し、空気袋２０８と外側シート２０４との間に、断面「つ」の字状に設定された特殊な形状のカーラー２１０を配置して構成している。
【００２０】
しかしながら、特許文献２の手首血圧計用カフ２００は、空気袋２０８に空気を注入することによって、帯体２０２を膨らませて、これにより手首を締め付けて血圧を測定するものであって、複雑な構造であって、空気を注入する装置、血圧測定装置などを別途用意しなければならないものである。
【００２１】
従って、運動中やトレーニング中において、心拍数、体温などの生体の情報を測定するセンサーを搭載する手首装着型の生体測定装置に適用することは不可能である。
【００２２】
また、特許文献１の従来タイプの腕時計バンド１０８の代わりに、特許文献３（特開平１１−２３９５０６号公報）に開示されるような時計バンドを用いることも考えられる。
【００２３】
この時計バンド３００は、図２５に示したように、皮革などからなる一体の部材３０２により構成され、その内部にはあらかじめ略Ｃ字型に形状固定された形状記憶合金線からなる芯材３０４が埋め込まれており、バンド３００は芯材３０４の形状と同様な略Ｃ字型となっている。
【００２４】
これにより、バンド３００の開口部３０６を手首に押し付けるだけで簡単に片手で装着することが可能であり、形状記憶合金の持つ超弾性効果により、自然と手首に保持されるのでバンド締結や長さ調整のための機構が省略できるものである。
【００２５】
しかしながら、特許文献３のバンド３００では、略Ｃ字型形状であるので、形状記憶合金の持つ超弾性効果により全体的に手首を締め付けるものであり、心拍数、体温などの生体の情報を測定するセンサーを搭載する手首装着型の生体測定装置に適用した場合には、運動中やトレーニング中において、フィット感にも欠けることになり、時には手首が太い場合には締め付け力が強く、痛みを覚える場合もあり、運動やトレーニングを阻害するおそれもある。
【００２６】
手首は円形ではなく、幅方向の長さに対して、その厚さが小さくなっている。いわゆる手首が太いという状態は、手首を手の平側または手の甲側から見たとき、その幅方向に長い場合がほとんどである。つまり、そのように見たとき、手首はその厚さよりも、幅方向の長さに個人差が大きく現れる。
そのような理由から、特許文献３のバンド３００では、装着者の手首の幅方向に開口部３０６が開くため、腕時計本体３０１がさらに浮いた状態になってしまう。すなわち、装着者によってフィット感が大幅に変わってしまうのである。
【００２７】
また、脈波測定用センサーで脈波の測定を行うためには、バンド３００を尺骨突起の位置に位置させる必要があるが、略Ｃ字型形状であるので、手首全体をほぼ覆うものであるので、尺骨突起によって、バンド３００、腕時計本体３０１が浮いた状態となる。その結果、脈波測定用センサーが、手首の手の平側に密着して適度な押圧力で押圧されずに、センサーによる正確な測定を実施することができないことになる。
【００２８】
本発明は、このような現状に鑑み、装着者の手首の太さの違いに対応することができ、尺骨突起によってバンドが浮いた状態とならず、脈波測定用センサーなどのセンサーが、手の平側や手の甲側の手首側に密着して適度な押圧力で押圧され、しかも、運動中、トレーニング中などにおいて位置がずれることなく、センサーによる正確な測定を実施することができる手首装着型の生体測定装置用のバンドを提供することを目的とする。
【００２９】
また、本発明は、運動中やトレーニング中において、フィット感も良好で、手首が太い場合にも、痛みを覚えることがなく、運動やトレーニングを阻害するおそれもなく、しかも、いわゆるワンタッチで着脱が自在な手首装着型の生体測定装置用のバンドを提供することを目的とする。
【課題を解決するための手段】
【００３０】
本発明は、前述したような従来技術における課題及び目的を達成するために発明されたものであって、本発明の生体測定装置用のバンドは、
生体の情報を測定するセンサーを搭載する生体測定装置を手首に装着するための生体測定装置用のバンドであって、
手首の断面形状に略合致し、手首の尺骨側または橈骨側が開放した略Ｕ字形状のバンド本体を有し、
前記バンド本体は、前記センサーの検出面側が手首側に露出するように装着用開口部を備え、
前記バンド本体は、手首に装着した状態で、開放端部同士が接近する方向に内側に付勢された状態となり、前記センサーの検出面側を手首側に押圧するように構成されていることを特徴とする。
【００３１】
このように構成することによって、バンド本体が手首の断面形状に略合致し、手首の尺骨側または橈骨側が開放した略Ｕ字形状であるので、この手首の尺骨側または橈骨側の開放部分からバンド本体を手首にいわゆるワンタッチで着脱することができる。
【００３２】
しかも、バンド本体が手首の断面形状に略合致し、手首の尺骨側または橈骨側が開放した略Ｕ字形状であるので、尺骨突起によってバンド本体が浮いた状態とならず、センサーによる正確な測定を実施することができる。
【００３３】
また、バンド本体が手首の断面形状に略合致した略Ｕ字形状であるので、手首の周囲でのバンド本体の回転を阻止することができ、運動中、トレーニング中などにおいて位置がずれることなく、センサーによる正確な測定を実施することができる。
【００３４】
また、バンド本体が手首の断面形状に略合致し、手首の尺骨側または橈骨側が開放した略Ｕ字形状であるので、運動中やトレーニング中において、フィット感も良好で、手首が太い場合にも、痛みを覚えることがなく、運動やトレーニングを阻害するおそれもない。
【００３５】
また、バンド本体を手首に装着した状態では、バンド本体に形成された装着用開口部を介して、センサーの検出面側が手首側に露出した状態になるとともに、バンド本体は、手首に装着した状態で、尺骨突起によってバンド本体が浮いた状態とならない。
【００３６】
また、バンド本体が手首の断面形状に略合致した略Ｕ字形状であるので、バネ力が発生して、開放端部同士が接近する方向に内側に付勢された状態となり、手首を挟み込んだ状態となる。これにより、センサーの検出面側を手首側に適度な押圧力で押圧することができ、センサーによって正確な生体の情報を測定することができる。
【００３７】
また、本発明の生体測定装置用のバンドは、前記装着用開口部が、前記バンド本体の手の平側に形成されていることを特徴とする。
【００３８】
このように装着用開口部が、バンド本体の手の平側に形成されていることによって、バンド本体の手の平側に、生体の情報を測定するセンサーを搭載する生体測定装置を配置することができ、運動中やトレーニング中において、手の平側に位置する生体測定装置によって、測定結果を確認することができ、便利である。
【００３９】
しかも、手の平側に、センサーの検出面側が露出するので、生体測定装置として、例えば、脈波を測定するため脈波測定装置などを使用することができ、脈波を測定し、心拍数を効率よく算出することができる。
【００４０】
また、本発明の生体測定装置用のバンドは、前記装着用開口部が、前記バンド本体の手の甲側に形成されていることを特徴とする。
【００４１】
このように装着用開口部が、バンド本体の手の甲側に形成されていることによって、バンド本体の手の甲側に、生体の情報を測定するセンサーを搭載する生体測定装置を配置することができ、運動中やトレーニング中において、手の甲側に位置する生体測定装置によって、測定結果を確認することができ、便利である。
【００４２】
また、本発明の生体測定装置用のバンドは、前記バンド本体の手の甲側の開放端部が、手の平側の開放端部よりも長さが短く形成されていることを特徴とする。
【００４３】
このようにバンド本体の手の甲側の開放端部が、手の平側の開放端部よりも長さが短く形成されているので、バンド本体の手の甲側が短いので、尺骨突起によってバンド本体が浮いた状態とならず、また、バンド本体の手の平側長いのでバンド本体を手首に装着した際に、バンド本体の手首への装着状態を安定して維持することができ、抜け落ちなどを防止することができる。
【００４４】
また、本発明の生体測定装置用のバンドは、前記バンド本体の手の甲側の開放端部と手の平側の開放端部が、相互に接近する方向に湾曲されていることを特徴とする。
【００４５】
このようにバンド本体の手の甲側の開放端部と手の平側の開放端部が、相互に接近する方向に湾曲されているので、これらの湾曲部において、バンド本体を手首に装着した際に、バンド本体の手首への装着状態を安定して維持することができ、手首の周囲でのバンド本体の回転、抜け落ちなどを効果的に防止することができる。
【００４６】
また、本発明の生体測定装置用のバンドは、前記バンド本体が、弾性力を有する可撓性部材から構成されていることを特徴とする。
【００４７】
このようにバンド本体が、弾性力を有する可撓性部材から構成されているので、バンド本体を、手首に装着する際には、バンド部材のバンド開放端部同士が接近する方向への内側向きの付勢力に抗して押し広げることができ、手首に容易に装着することができる。
【００４８】
そして、手首にバンド本体を装着した状態では、バンド本体の開放端部同士が接近する方向に内側に再び付勢された状態となり、バンド本体の手首への装着状態を安定して維持することができ、手首の周囲でのバンド本体の回転、抜け落ちなどを効果的に防止することができる。
【００４９】
また、バンド本体が、弾性力を有する可撓性部材から構成されているので、手首へのフ
ィット感、装着感も極めて良好である。
【００５０】
また、本発明の生体測定装置用のバンドは、前記バンド本体に、手首に装着した状態で、開放端部同士を接近する方向に内側に付勢する弾性部材が介装されていることを特徴とする。
【００５１】
このようにバンド本体に、手首に装着した状態で、開放端部同士を接近する方向に内側に付勢する弾性部材が介装されているので、この弾性部材の付勢力によって、バンド本体の開放端部同士が接近する方向に内側に再び付勢された状態となり、バンド本体の手首への装着状態を安定して維持することができ、手首の周囲でのバンド本体の回転、抜け落ちなどを効果的に防止することができる。
【００５２】
しかも、バンド本体を、手首に装着する際には、バンド本体のバンド開放端部同士が接近する方向への弾性部材による内側向きの付勢力に抗して押し広げることができ、手首に容易に装着することができる。
【００５３】
そして、手首にバンド本体を装着した状態では、バンド本体の開放端部同士が接近する方向に、弾性部材によって内側に付勢された状態となり、バンド本体の手首への装着状態を安定して維持することができ、手首の周囲でのバンド本体の回転、抜け落ちなどを効果的に防止することができる。
【００５４】
また、本発明の生体測定装置用のバンドは、前記バンド本体の手首側表面に、凹凸部が形成されていることを特徴とする。
【００５５】
このようにバンド本体の手首側表面に、凹凸部が形成されているので、この凹凸部で、手首との間で摩擦力が発生して、手首の周囲でのバンド本体の回転、抜け落ちなどを効果的に防止することができる。また、装着時に手首の発汗作用による汗などの水分を、この凹凸部による空隙、溝を介して蒸発させることができ、汗などによるべたつきによる装着感の低下を防止することができる。
【００５６】
また、本発明の生体測定装置用のバンドは、前記バンド本体に、厚さ方向に貫通する貫通孔が形成されていることを特徴とする。
【００５７】
このようにバンド本体に、厚さ方向に貫通する貫通孔が形成されているので、装着時に手首の発汗作用による汗などの水分を、この貫通孔を介して蒸発させることができ、汗などによるべたつきによる装着感の低下を防止することができる。
【００５８】
しかも、バンド本体に、厚さ方向に貫通する貫通孔が形成されているので、バンド本体自体の材料を削減できコストを低減できるとともに、バンド本体を軽量化することができ、装着時のフィット感がより良好になる。
【００５９】
また、本発明の生体測定装置用のバンドは、前記バンド本体が、複数のバンド本体部材を相互に連結して構成されていることを特徴とする。
【００６０】
このようにバンド本体が、複数のバンド本体部材を相互に連結して構成されているので、複数のバンド本体部材を異なる材料の部材から構成でき、その弾力性の相違によってフィット感を向上させたり、手首の微妙な形状に対応できるとともに、素材の有する色などの組み合わせなどによってデザインバリエーションの拡大を図れる。
【００６１】
また、個々のバンド本体部材が破損損傷した場合にも、その部分のバンド本体部材を交
換することができ、便利である。
【００６２】
また、本発明の生体測定装置用のバンドは、前記バンド本体が、前記装着用開口部が形成された手の平側のバンド本体部材と、手の甲側のバンド本体部材と、これらを連結する連結部とから構成されていることを特徴とする。
【００６３】
このようにバンド本体が、装着用開口部が形成された手の平側のバンド本体部材と、手の甲側のバンド本体部材と、これらを連結する連結部とから構成されているので、これらの部分を異なる材料の部材から構成でき、その弾力性の相違によってフィット感を向上させたり、手首の微妙な形状に対応できるとともに、素材の有する色などの組み合わせなどによってデザインバリエーションの拡大を図れる。
【００６４】
また、これらの部分が破損損傷した場合にも、その部分のみをを交換することができ、便利である。
【００６５】
また、本発明の生体測定装置用のバンドは、前記バンド本体が、前記装着用開口部が形成された手の甲側のバンド本体部材と、手の平側のバンド本体部材と、これらを連結する連結部とから構成されていることを特徴とする。
【００６６】
このようにバンド本体が、装着用開口部が形成された手の甲側のバンド本体部材と、手の平側の開放端部と、これらを連結する連結部とから構成されているので、これらの部分を異なる材料の部材から構成でき、その弾力性の相違によってフィット感を向上させたり、手首の微妙な形状に対応できるとともに、素材の有する色などの組み合わせなどによってデザインバリエーションの拡大を図れる。
【００６７】
また、これらの部分が破損損傷した場合にも、その部分のみをを交換することができ、便利である。
【００６８】
また、本発明の生体測定装置用のバンドは、前記バンド本体の手の甲側の開放端部が、手首の尺骨突起近傍まで延設されていることを特徴とする。
【００６９】
このようにバンド本体の手の甲側の開放端部が、手首の尺骨突起近傍まで延設されているので、尺骨突起によってバンド本体が浮いた状態とならず、センサーによる正確な測定を実施することができる。
【００７０】
また、本発明の生体測定装置用のバンドは、前記バンド本体の手の甲側の開放端部が、手首の尺骨突起を超えて延設されているとともに、尺骨突起露出用の切り欠き部または開口部が形成されていることを特徴とする。
【００７１】
このように構成することによって、バンド本体の手の甲側の開放端部が、手首の尺骨突起を超えて延設されているので、バンド本体の手の甲側の開放端部が長くなるので、バンド本体を手首に装着した際に、バンド本体の手首への装着状態を安定して維持することができ、手首の周囲でのバンド本体の回転、抜け落ちなどを効果的に防止することができる。
【００７２】
また、尺骨突起露出用の切り欠き部または開口部が形成されているので、バンド本体を手首に装着した際に、これらの切り欠き部または開口部に尺骨突起が位置するので、尺骨突起によってバンド本体が浮いた状態とならず、センサーによる正確な測定を実施することができる。
【００７３】
また、本発明の生体測定装置用のバンドは、前記バンド本体の手の甲側の開放端部が、手首の尺骨突起を超えて該尺骨突起を避けるように延設されていることを特徴とする。
【００７４】
このように構成することによって、バンド本体の手の甲側の開放端部が、手首の尺骨突起を超えて延設されているので、バンド本体の手の甲側の開放端部が長くなるので、バンド本体を手首に装着した際に、バンド本体の手首への装着状態を安定して維持することができ、手首の周囲でのバンド本体の回転、抜け落ちなどを効果的に防止することができる。
【００７５】
また、バンド本体の手の甲側の開放端部が、手首の尺骨突起を超えて該尺骨突起を避けるように延設されているので、バンド本体を手首に装着した際に、尺骨突起によってバンド本体が浮いた状態とならず、センサーによる正確な測定を実施することができる。
【００７６】
また、本発明の生体測定装置用のバンドは、前記バンド本体が、複数の略平行なバンド部材から構成されていることを特徴とする。
【００７７】
このように構成することによって、バンド本体が、複数の略平行なバンド部材から構成されているので、装着時に手首の発汗作用による汗などの水分を、これらの略平行なバンド部材の間の間隙を介して蒸発させることができ、汗などによるべたつきによる装着感の低下を防止することができる。
【００７８】
しかも、バンド本体が、複数の略平行なバンド部材から構成されているので、バンド本体自体の材料を削減できコストを低減できるとともに、バンド本体を軽量化することができ、装着時のフィット感がより良好になる。
【００７９】
さらに、複数の略平行なバンド部材を異なる材料の部材から構成でき、その弾力性の相違によってフィット感を向上させたり、手首の微妙な形状に対応できるとともに、素材の有する色などの組み合わせなどによってデザインバリエーションの拡大を図れる。
【００８０】
また、本発明の生体測定装置用のバンドは、前記複数の略平行なバンド部材の長さが相違することを特徴とする。
【００８１】
このように複数の略平行なバンド部材の長さが相違するので、長さの相違による弾力性の相違によってフィット感を向上させたり、手首の微妙な形状に対応できるとともに、素材の有する色などの組み合わせなどによってデザインバリエーションの拡大を図れる。
【００８２】
また、本発明の生体測定装置用のバンドは、前記複数の略平行なバンド部材の付勢力が相違することを特徴とする。
【００８３】
このように構成することにより、複数の略平行なバンド部材の付勢力の相違よってフィット感を向上させたり、手首の微妙な形状に対応できる。
【００８４】
また、本発明の生体測定装置用のバンドは、前記複数の略平行なバンド部材を相互に連結するブリッジ部材を備えることを特徴とする。
【００８５】
このように複数の略平行なバンド部材を相互に連結するブリッジ部材を備えることによって、バンド部材の機械的強度を増すことができ、繰り返しの使用に耐えることができる。
【００８６】
また、本発明の生体測定装置用のバンドは、前記バンド本体に、手の平側の開放端部と
手の甲側の開放端部とを締め付ける補助バンド部材が装着されていることを特徴とする。
【００８７】
このように構成することによって、補助バンド部材によって手の平側の開放端部と手の甲側の開放端部とを締め付けることができるので、バンド本体を手首に装着した際に、バンド本体の手首への装着状態を安定して維持することができ、手首の周囲でのバンド本体の回転、抜け落ちなどを効果的に防止することができる。
【００８８】
しかも、補助バンド部材によって手の平側の開放端部と手の甲側の開放端部とを締め付けることができるので、センサーの検出面側を手首側に適度な押圧力で押圧することができ、これにより、センサーによって正確な生体の情報を測定することができる。
【００８９】
また、本発明の生体測定装置用のバンドは、前記補助バンド部材が、弾性部材から構成されていることを特徴とする。
【００９０】
このように補助バンド部材が、弾性部材から構成されているので、この弾性部材の弾性力によって、補助バンド部材によって手の平側の開放端部と手の甲側の開放端部とを締め付けることができ、バンド本体を手首に装着した際に、バンド本体の手首への装着状態を安定して維持することができ、手首の周囲でのバンド本体の回転、抜け落ちなどを効果的に防止することができるとともに、センサーの検出面側を手首側に適度な押圧力で押圧することができ、これにより、センサーによって正確な生体の情報を測定することができる。
【００９１】
また、本発明の生体測定装置用のバンドは、前記生体測定装置を、前記バンド本体の前記装着用開口部に着脱自在に装着することができるように構成されていることを特徴とする。
【００９２】
このように生体測定装置を、前記バンド本体の前記装着用開口部に着脱自在に装着することができるので、電池などが消耗したり、寿命が近づいた生体測定装置を新しい生体測定装置に交換したり、生体測定の目的に応じて、異なる種類の生体測定装置に交換することができ、極めて便利である。
【００９３】
また、手首の太さに応じてバンド本体を交換する場合や、経時変化により痛んだバンド本体を新しいものに交換する場合などにおいて、バンド本体自体を交換することができ、極めて便利である。
【００９４】
また、本発明の生体測定装置用のバンドは、前記生体測定装置を、前記バンド本体の前記装着用開口部にスライド式に着脱自在に装着することができるように構成されていることを特徴とする。
【００９５】
このように生体測定装置を、バンド本体の装着用開口部にスライド式に着脱自在に装着することができるので、上記の生体測定装置の交換、バンド本体の交換がより容易になり、便利である。
【００９６】
また、本発明の生体測定装置用のバンドは、前記生体測定装置を、前記バンド本体の前記装着用開口部に部分的に固定した状態となるように着脱自在に装着することができるように構成されていることを特徴とする。
【００９７】
このように構成することによって、生体測定装置を、バンド本体の前記装着用開口部に部分的に固定した状態となるので、手首の太さに応じて、バンド本体が拡径したり、逆に縮径したりした場合にも、生体測定装置に余分な力が付加されないので、生体測定装置が
破損損傷することがない。
【００９８】
また、本発明の生体測定装置用のバンドは、前記生体測定装置が、脈波を測定するため脈波測定装置、体温を測定するための体温測定装置、発汗度を測定するための発汗測定装置のうちの少なくとも１つ、またはそれらの組み合わせの測定装置であることを特徴とする。
【００９９】
このように構成することによって、脈波の測定、体温の測定、発汗度の測定に対応することができ、極めて便利である。
【発明の効果】
【０１００】
本発明によれば、バンド本体が手首の断面形状に略合致し、手首の尺骨側または橈骨側が開放した略Ｕ字形状であるので、この手首の尺骨側の開放部分からバンド本体を手首にいわゆるワンタッチで着脱することができる。
【０１０１】
しかも、バンド本体が手首の断面形状に略合致し、手首の尺骨側または橈骨側が開放した略Ｕ字形状であるので、尺骨突起によってバンド本体が浮いた状態とならず、センサーによる正確な測定を実施することができる。
【０１０２】
また、バンド本体が手首の断面形状に略合致した略Ｕ字形状であるので、手首の周囲でのバンド本体の回転を阻止することができ、運動中、トレーニング中などにおいて位置がずれることなく、センサーによる正確な測定を実施することができる。
【０１０３】
また、バンド本体が手首の断面形状に略合致し、手首の尺骨側または橈骨側が開放した略Ｕ字形状であるので、運動中やトレーニング中において、フィット感も良好で、手首が太い場合にも、痛みを覚えることがなく、運動やトレーニングを阻害するおそれもない。
【０１０４】
さらに、バンド本体を手首に装着した状態では、バンド本体に形成された装着用開口部を介して、センサーの検出面側が手首側に露出した状態になるとともに、バンド本体は、手首に装着した状態で、尺骨突起によってバンド本体が浮いた状態とならず、開放端部同士が接近する方向に内側に付勢された状態となり、手首を挟み込んだ状態となる。これにより、センサーの検出面側を手首側に適度な押圧力で押圧することができ、センサーによって正確な生体の情報を測定することができる。
【発明を実施するための最良の形態】
【０１０５】
以下、本発明の実施の形態（実施例）を図面に基づいてより詳細に説明する。
【０１０６】
図１は、本発明の生体測定装置用のバンドと生体測定装置の分解斜視図、図２は、図１の生体測定装置用のバンドに生体測定装置を装着して、生体の左手首に装着した状態の斜視図、図３は、図１の生体測定装置用のバンドに生体測定装置を装着して、生体の左手首に装着した状態の肘側から見た概略断面図、図４は、手首の太さが相違する生体の左手首に装着した状態を示す図３と同様な肘側から見た概略断面図である。
【０１０７】
図１〜図３において、符号１０は、全体で本発明の生体測定装置用のバンドを示している。
【０１０８】
この生体測定装置用のバンド１０（以下、単に「バンド１０」と言う）は、生体の情報を測定するセンサーを搭載する生体測定装置１２を手首１４に装着するための生体測定装置用のバンドである。
【０１０９】
この場合、生体測定装置１２に搭載する生体の情報を測定するセンサーとしては、特に限定されるものではなく、例えば、脈波を測定するため脈波測定装置、体温を測定するための体温測定装置、発汗度を測定するための発汗測定装置のうちの少なくとも１つ、またはそれらの組み合わせの測定装置であるのが望ましいが、何らこれらの測定装置に限定されるものではなく、その他の測定装置を搭載することも可能である。このように構成することによって、脈波の測定、体温の測定、発汗度の測定に対応することができ、極めて便利である。
【０１１０】
また、生体測定装置１２は、このような生体の情報を測定するセンサーを搭載する他に、計時機能、通信機能（例えば、携帯電話機能）などのその他の機能を合わせ持つものであっても良い。
【０１１１】
図１〜図３に示したように、バンド１０は、略帯形状のバンド本体１６を有しており、このバンド本体１６は、手首１４の断面形状に略合致し、手首１４の尺骨１４ｂ側が開放した略Ｕ字形状に形成されている。
【０１１２】
すなわち、この実施例のバンド１０では、図３に示したように、バンド本体１６は、手の平１４ａ側から見たときの尺骨１４ｂの部分から橈骨１４ｄ側まで至る、手の平側の手の平部分１６ａと、橈骨１４ｄ側で屈曲する中間部分１６ｂと、手の甲１４ｅ側から見たときの橈骨１４ｄ側から尺骨１４ｂの近傍まで延設された、手の甲側の手の甲部分１６ｃとから構成され、手首１４を、略３／４周した略Ｕ字形状である。
【０１１３】
そして、バンド本体１６の手の平部分１６ａの開放端部１８と、手の甲部分１６ｃの開放端部２０との間に、すなわち、手首１４の尺骨１４ｂ側に、開放部分２２が形成されるようになっており、この開放部分２２によって、尺骨１４ｂの尺骨突起１４ｃを避けた形状となっている。
【０１１４】
また、バンド本体１６の手の甲部分１６ｃの開放端部２０が、手の平部分１６ａの開放端部１８よりも長さが短く形成されている。
【０１１５】
このように構成することによって、バンド本体１６の手の甲部分１６ｃの開放端部２０が短いので、尺骨突起１４ｃによってバンド本体１６が浮いた状態とならないように構成されている。また、バンド本体１６の手の平部分１６ａの開放端部１８が長いので、バンド本体１６を手首１４に装着した際に、バンド本体１６の手首１４への装着状態を安定して維持することができ、抜け落ちなどを防止することができるようになっている。
【０１１６】
また、バンド本体１６の手の甲部分１６ｃの開放端部２０と、手の平部分１６ａの開放端部１８とが、相互に接近する方向に湾曲した形状となっている。
【０１１７】
このようにバンド本体１６の手の甲部分１６ｃの開放端部２０と、手の平部分１６ａの開放端部１８とが相互に接近する方向に湾曲した形状であるので、これらの湾曲部において、バンド本体１６を手首１４に装着した際に、バンド本体１６の手首１４への装着状態を安定して維持することができ、手首１４の周囲でのバンド本体１６の回転、抜け落ちなどをさらに効果的に防止することができるようになっている。
【０１１８】
また、バンド本体１６が手首１４の断面形状に略合致した略Ｕ字形状であるので、手首１４にバンド１０を装着した際に、バネ力が発生して、図３の矢印Ａで示したように、バンド本体１６の手の甲１４ｅ側の開放端部２０と、手の平部分１６ａの開放端部１８同士が接近する方向に内側に付勢された状態となり、手首を挟み込んだ状態となる。
【０１１９】
この場合、バンド本体１６の材質としては、特に限定されるものではないが、上記のようなバネ力を効果的に作用させるようにするためには、例えば、ポリウレタン樹脂、ポリ塩化ビニル樹脂、ポリエチレン樹脂やポリプロピレン樹脂などのポリオレフィン樹脂、シリコン樹脂、ポリアミド樹脂（ナイロン）、ポリカーボネート樹脂、ポリテトラ・フルオロ・エチレン樹脂（フッ素樹脂）などの各種合成樹脂、ニトリル系エラストマ、ウレタンゴム、フッ素ゴム、ＮＢＲ、アクリルゴムなどの各種エラストマなど、弾性力を有する可撓性部材を採用するのが望ましい。
【０１２０】
このようにバンド本体１６を、弾性力を有する可撓性部材から構成することによって、バンド本体１６を、手首１４に装着する際には、バンド本体１６を、バンド本体１６の開放端部１８、２０同士が接近する方向への内側向きの付勢力に抗して押し広げることができ、手首１４に容易に装着することができる。
【０１２１】
そして、手首１４にバンド本体１６を装着した状態では、バンド本体１６の開放端部１８、２０同士が接近する方向に内側に再び付勢された状態となり、バンド本体１６の手首１４への装着状態を安定して維持することができ、手首１４の周囲でのバンド本体１６の回転、抜け落ちなどを効果的に防止することができる。
【０１２２】
また、バンド本体１６が、弾性力を有する可撓性部材から構成されているので、手首１４へのフィット感、装着感も極めて良好である。
【０１２３】
また、このように、バンド本体１６が、弾性力を有する可撓性部材から構成する代わりに、例えば、Ｔｉ−Ｎｉ系などの形状記憶合金を採用することによっても同様な効果を得ることができる。
【０１２４】
一方、生体測定装置１２は、バンド本体１６の形状に略合致するように湾曲した形状の生体測定装置本体２４を備えており、この生体測定装置本体２４から裏面、すなわち、手首１４側に突設する略矩形状の嵌合部２６を備えている。
【０１２５】
この嵌合部２６の手首１４側には、略矩形状のセンサー検出部２８が突出するように形成されており、センサー検出部２８には、センサーの検出面３０が形成されている。さらに、生体測定装置本体２４には、表面、すなわち、手首１４側と反対側には、風防３２が設けられている。
なお、図示しないが、このセンサー検出部２８のセンサーの検出面３０には、センサーの検出面３０が磨耗損傷するのを防止するために、例えば、ポリウレタン樹脂、ポリエステル樹脂、ポリスチレン樹脂、シリコン樹脂などからなる保護膜が形成されている。この場合、保護膜は、センサー検出部２８のセンサーの検出面３０に、例えば、接着、熱溶着、塗装の方法で形成することができる。
また、この保護膜を、保護部材の形状にして、センサー検出部２８のセンサーの検出面３０に着脱自在に装着するようにすることによって、磨耗損傷などした場合に、新しい保護部材と交換でき、極めて便利である。
【０１２６】
一方、バンド本体１６には、図１に示したように、バンド本体１６の手の平部分１６ａの開放端部１８に、生体測定装置１２のセンサー検出部２８が嵌合する略矩形状の装着用開口部３４が形成されている、この装着用開口部３４に、生体測定装置１２のセンサー検出部２８を嵌合させて固定した際に、生体測定装置１２のセンサーの検出面３０側が、手首１４の側に露出するように構成されている。
【０１２７】
なお、この実施例の場合には、バンド本体１６の装着用開口部３４に、生体測定装置１２のセンサー検出部２８を嵌合した状態で、生体測定装置１２のセンサーの検出面３０が
、図３に示したように、手首１４の橈骨１４ｄ側の橈骨動脈１４ｆまで手首１４を覆うように、バンド本体１６の装着用開口部３４と生体測定装置１２のセンサー検出部２８の寸法が決められている。
【０１２８】
これにより、生体測定装置１２が、例えば、脈波を測定するため脈波測定装置であっても、脈波測定による心拍数算出、表示が可能なように構成されている。
【０１２９】
また、この実施例の場合には、バンド本体１６の手の平部分１６ａの開放端部１８の縦方向の平行な２本の縦枠部３６にはそれぞれ、略中央部分に固定ネジ用孔３８が形成されている。一方、生体測定装置本体２４の裏面には、この固定ネジ用孔３８に対応する位置に、固定用ネジ孔４０が形成されている。
【０１３０】
これにより、固定ネジ用孔３８を介して、固定ネジ４２を、固定ネジ用孔３８に螺合することによって、バンド本体１６の手の平部分１６ａの開放端部１８に形成された装着用開口部３４に、生体測定装置１２のセンサー検出部２８を嵌合させて着脱自在に固定するように構成されている。
【０１３１】
このように構成することによって、生体測定装置１２は、バンド本体１６の手の平部分１６ａの開放端部１８の縦枠部３６の略中央部の２箇所で固定されている、すなわち、生体測定装置１２が、バンド本体１６の装着用開口部３４に部分的に固定した状態となっている。
【０１３２】
従って、図４に示したように、手首１４の大きさに応じて、手首１４が細い場合には、バンド本体１６が縮径し（図４の実線参照）、生体測定装置１２は、バンド本体１６の手の平部分１６ａの開放端部１８の間に間隙Ｓが生じており、逆に、手首１４の太さが太い場合に、バンド本体１６が拡径し（図４の一点鎖線参照）、生体測定装置１２は、バンド本体１６の手の平部分１６ａの開放端部１８の間に間隙Ｓが生じないようになる。その結果、生体測定装置１２に余分な力が付加されないので、生体測定装置１２が破損損傷することがないように構成されている。
【０１３３】
このように生体測定装置１２を、バンド本体１６の装着用開口部３４に着脱自在に装着することができるので、電池などが消耗したり、寿命が近づいた生体測定装置１２を新しい生体測定装置に交換したり、生体測定の目的に応じて、異なる種類の生体測定装置１２に交換することができ、極めて便利である。
【０１３４】
また、手首１４の大きさに応じて、バンド本体１６を交換する場合、バンド本体１６を新しいものに交換する場合などにおいて、バンド本体１６自体を交換することができ、極めて便利である。
【０１３５】
また、図示しないが、生体測定装置１２を、バンド本体１６の装着用開口部３４にスライド式に着脱自在に装着することができるように構成することもできる。
【０１３６】
このように構成することによって、生体測定装置１２を、バンド本体１６の装着用開口部３４にスライド式に着脱自在に装着することができるので、上記の生体測定装置１２の交換、バンド本体１６の交換がより容易になり、便利である。
【０１３７】
このように構成することによって、この実施例のバンド１０では、バンド本体１６が手首１４の断面形状に略合致し、手首１４の尺骨１４ｂ側が開放した略Ｕ字形状であるので、この手首１４の尺骨１４ｂの開放部分２２からバンド本体１６を手首１４にいわゆるワンタッチで着脱することができる。
【０１３８】
しかも、バンド本体１６が手首１４の断面形状に略合致し、手首１４の尺骨１４ｂ側が開放した略Ｕ字形状であるので、尺骨突起１４ｃによってバンド本体１６が浮いた状態とならず、センサーによる正確な測定を実施することができる。
【０１３９】
また、バンド本体１６が手首１４の断面形状に略合致した略Ｕ字形状であるので、手首１４の周囲でのバンド本体１６の回転を阻止することができ、運動中、トレーニング中などにおいて位置がずれることなく、センサーによる正確な測定を実施することができる。
【０１４０】
また、バンド本体１６が手首１４の断面形状に略合致した略Ｕ字形状であるので、運動中やトレーニング中において、フィット感も良好で、手首１４が太い場合にも、痛みを覚えることがなく、運動やトレーニングを阻害するおそれもない。
【０１４１】
また、バンド本体１６を手首１４に装着した状態では、バンド本体１６に形成された装着用開口部３４を介して、センサーの検出面３０側が手首１４側に露出した状態になるとともに、バンド本体１６は、手首１４に装着した状態で、尺骨突起１４ｃによってバンド本体１６が浮いた状態とならないようになっている。
【０１４２】
また、バンド本体１６が手首１４の断面形状に略合致した略Ｕ字形状であるので、手首１４にバンド１０を装着した際に、バネ力が発生して、図３の矢印Ａで示したように、バンド本体１６の手の甲１４ｅ側の開放端部２０と、手の平部分１６ａの開放端部１８同士が接近する方向に内側に付勢された状態となり、手首を挟み込んだ状態となる。これにより、センサーの検出面３０側を手首１４側に適度な押圧力で押圧することができ、センサーによって正確な生体の情報を測定することができる。
【０１４３】
また、この実施例の場合には、装着用開口部３４が、バンド本体１６の手の平１４ａ側に形成されているので、バンド本体１６の手の平１４ａ側に、生体の情報を測定するセンサーを搭載する生体測定装置１２を配置することができ、運動中やトレーニング中において、手の平１４ａ側に位置する生体測定装置１２によって、測定結果を確認することができ、便利である。
【０１４４】
しかも、手の平１４ａ側に、センサーの検出面３０側が露出するので、生体測定装置１２として、例えば、脈波を測定するため脈波測定装置などを使用することができ、脈波を測定し、心拍数を効率よく算出することができる。
【０１４５】
なお、図５に示したように、装着用開口部３４を、バンド本体１６の手の甲１４ｅ側に形成して、装着用開口部３４に、生体測定装置１２のセンサー検出部２８を嵌合させて固定するようにしても良い。
【０１４６】
このように装着用開口部３４を、バンド本体１６の手の甲１４ｅ側に形成することによって、バンド本体１６の手の甲１４ｅ側に、生体の情報を測定するセンサーを搭載する生体測定装置１２を配置することができ、運動中やトレーニング中において、手の甲側に位置する生体測定装置１２によって、測定結果を確認することができ、便利である。
【０１４７】
また、この実施例では、バンド本体１６自体を、弾性力を有する可撓性部材から構成したが、図６に示したように、バンド本体１６の内部に、手首１４に装着した状態で、開放端部１８、２０同士を接近する方向に内側に付勢する弾性部材４４を介装するようにしても良い。
【０１４８】
このように構成することによって、弾性部材４４の付勢力によって、バンド本体１６の
開放端部１８，２０同士が接近する方向に内側に付勢された状態となり、バンド本体１６の手首１４への付勢力を増すとともに、装着状態を安定して維持することができ、手首１４の周囲でのバンド本体１６の回転、抜け落ちなどを効果的に防止することができる。
【０１４９】
しかも、バンド本体１６を、手首１４に装着する際には、バンド本体１６の開放端部１８、２０同士が接近する方向への弾性部材４４による内側向きの付勢力に抗して押し広げることができ、手首１４に容易に装着することができる。
【０１５０】
そして、手首１４にバンド本体１６を装着した状態では、バンド本体１６の開放端部１８、２０同士が接近する方向に、弾性部材４４によって内側に再び付勢された状態となり、バンド本体１６の手首１４への装着状態を安定して維持することができ、手首１４の周囲でのバンド本体１６の回転、抜け落ちなどを効果的に防止することができる。
【０１５１】
この場合、弾性部材４４は、図６に示した実施例では、バンド本体１６の略全長にわたってバンド本体１６の内部に埋設した状態としたが、弾性部材４４をバンド本体１６に部分的に、例えば、手の平部分１６ａ、中間部分１６ｂ、手の甲部分１６ｃのいずれか、または、いずれか２つの組み合わせに配置したり、これらの部分の部分的に配置するなど目的とするバネ力を考慮して適宜変更可能である。
【０１５２】
また、弾性部材４４は、図６に示した実施例では、バンド本体１６の内部に埋設した状態としたが、図示しないが、部分的にバンド本体１６の表面または裏面（手首側表面）に露出するようにしたり、バンド本体１６の表面または裏面に露出するように一部埋設状態とすることもでき、さらには、バンド本体１６の表面または裏面に貼着するなど、その配置状態は適宜変更可能である。
【０１５３】
さらに、この場合、弾性部材４４の形状は、特に限定されるものではなく、例えば、板バネ状、棒状、角柱形、円柱状、コイル状など適宜変更可能である。また、弾性部材４４の材質も特に限定されるものではなく、金属製のバネ、合成樹脂製のバネ部材など目的とするバネ力に応じて適宜選択することができる。
【０１５４】
また、図７に示したように、バンド本体１６の手首側表面（裏面）に、凹凸部４６を形成するようにしても良い。
【０１５５】
このようにバンド本体１６の手首側表面に、凹凸部４６を形成することによって、この凹凸部で、手首１４との間で摩擦力が発生して、手首１４の周囲でのバンド本体１６の回転、抜け落ちなどを効果的に防止することができる。また、装着時に手首１４の発汗作用による汗などの水分を、この凹凸部による空隙、溝を介して蒸発させることができ、汗などによるべたつきによる装着感の低下を防止することができる。
【０１５６】
この場合、凹凸部４６は、バンド本体１６の手首側表面（裏面）全体にわたって形成しても、部分的に形成するようにしてもよい。また、凹凸部４６の形状は、微小な凹凸や、溝形状、柱状（円柱状、角柱状）、ドーム形状などこれらの組み合わせなど適宜変更することができる。
【０１５７】
なお、バンド本体１６の手首側表面（裏面）以外にも、模様として、また、装着時の操作の際の滑り止めなどのために、バンド本体１６の表面、側部に凹凸部４６を設けることも可能である。
【０１５８】
また、図８に示したように、バンド本体１６に、厚さ方向に貫通する貫通孔４８を形成しても良い。
【０１５９】
このようにバンド本体１６に、厚さ方向に貫通する貫通孔４８が形成されているので、装着時に手首１４の発汗作用による汗などの水分を、この貫通孔４８を介して蒸発させることができ、汗などによるべたつきによる装着感の低下を防止することができる。
【０１６０】
しかも、バンド本体１６に、厚さ方向に貫通する貫通孔４８が形成されているので、バンド本体１６自体の材料を削減できコストを低減できるとともに、バンド本体１６を軽量化することができ、装着時のフィット感がより良好になる。
【０１６１】
この場合、貫通孔４８の寸法、数、形状、配置位置などは、特に限定されるものではなく、バンド本体１６の全体にわたって形成しても、部分的に形成するようにしてもよく、適宜選択すればよい。また、上記の凹凸部４６、貫通孔４８を組み合わせて形成することも可能である。
【０１６２】
また、バンド本体であるバンド本体１６を、複数のバンド本体部材を相互に連結して構成することも可能である。
【０１６３】
例えば、図９に示したように、バンド本体１６を、装着用開口部３４が形成された手の平側のバンド本体部材５０と、手の甲側のバンド本体部材５２と、これらを連結する連結部５４とから構成するようにすることができる。
【０１６４】
このように構成することによって、複数のバンド本体部材を異なる材料の部材から構成でき、その弾力性の相違によってフィット感を向上させることができる。
【０１６５】
例えば、連結部５４を剛性材料から構成し、手の平側のバンド本体部材５０と、手の甲側のバンド本体部材５２とを弾性材料から構成することができ、バンド本体１６の機械的強度を向上することができる。
【０１６６】
また、手首の微妙な形状に対応できるとともに、素材の有する色などの組み合わせなどによってデザインバリエーションの拡大を図れる。また、個々のバンド本体部材が破損損傷した場合にも、その部分のバンド本体部材を交換することができ、便利である。
【０１６７】
なお、個々のバンド本体部材同士を連結する方法は、特に限定されるものではなく、例えば、接着、溶着などの固着であっても良く、公知のバンドの連結ピンによる着脱自在な連結構造とすることができる。
【０１６８】
また、図示しないが、上記のようにバンド本体部材に、弾性部材４４を介装することも可能である。
【０１６９】
また、図１０に示したように、バンド本体１６を、装着用開口部３４が形成された手の甲側のバンド本体部材５２と、手の平側のバンド本体部材５０と、これらを連結する連結部５４とから構成することも可能である。
【０１７０】
なお、バンド本体部材の数、形状などは特に限定されるものではなく、適宜変更することができる。
【０１７１】
また、図１１に示したように、バンド本体１６の手の甲１４ｅ側の開放端部２０が、手首１４の尺骨突起１４ｃの近傍まで延設されており、これにより、尺骨突起１４ｃによってバンド本体１６が浮いた状態とならず、センサーによる正確な測定を実施することができるようになっている。
【０１７２】
なお、図１２に示したように、バンド本体１６の手の甲１４ｅ側の開放端部２０が、手首１４の尺骨突起１４ｃを超えて延設されているとともに、尺骨突起露出用の切り欠き部１６ｄ、または、図１３に示したように、尺骨突起露出用の開口部１６ｅを設けることができる。
【０１７３】
このように構成することによって、バンド本体１６の手の甲１４ｅ側の開放端部２０が、手首１４の尺骨突起１４ｃを超えて延設されているので、バンド本体１６の手の甲１４ｅ側の開放端部２０が長くなるので、バンド本体１６を手首１４に装着した際に、バンド本体１６の手首１４への装着状態を安定して維持することができ、手首１４の周囲でのバンド本体１６の回転、抜け落ちなどを効果的に防止することができる。
【０１７４】
また、尺骨突起露出用の切り欠き部１６ｄまたは開口部１６ｅが形成されているので、バンド本体１６を手首１４に装着した際に、これらの切り欠き部１６ｄまたは開口部１６ｅに尺骨突起１４ｃが位置するので、尺骨突起１４ｃによってバンド本体１６が浮いた状態とならず、センサーによる正確な測定を実施することができる。
【０１７５】
さらに、バンド本体１６の手の甲１４ｅ側の開放端部２０が、手首１４の尺骨突起１４ｃを超えて手首１４の尺骨突起１４ｃを避けるように延設することもできる。例えば、図１４に示したように、バンド本体１６を略Ｓ字形状にすることもできる。
【０１７６】
このように構成することによって、手首１４の尺骨突起１４ｃを超えて手首１４の尺骨突起１４ｃを避けるように延設されているので、バンド本体１６を手首１４に装着した際に、尺骨突起１４ｃによってバンド本体１６が浮いた状態とならず、センサーによる正確な測定を実施することができる。
【０１７７】
また、図１５に示したように、バンド本体１６を、複数の略平行なバンド部材５６から構成することもできる。
【０１７８】
このように構成することによって、装着時に手首１４の発汗作用による汗などの水分を、これらの略平行なバンド部材５６の間の間隙を介して蒸発させることができ、汗などによるべたつきによる装着感の低下を防止することができる。
【０１７９】
しかも、バンド本体１６が、複数の略平行なバンド部材５６から構成されているので、バンド本体１６自体の材料を削減できコストを低減できるとともに、バンド本体１６を軽量化することができ、装着時のフィット感がより良好になる。
【０１８０】
さらに、複数の略平行なバンド部材５６を異なる材料の部材から構成でき、その弾力性の相違によってフィット感を向上させたり、手首１４の微妙な形状に対応できるとともに、素材の有する色などの組み合わせなどによってデザインバリエーションの拡大を図れる。
【０１８１】
なお、この実施例では、２本の略平行なバンド部材５６から構成したが、略平行なバンド部材５６の数、形状、配置間隔などは、特に限定されるものではなく、適宜変更することが可能である。
【０１８２】
この場合、図示しないが、複数の略平行なバンド部材５６の長さを相違するように構成することもできる。
【０１８３】
このように構成することによって、バンド部材５６の長さの相違による弾力性の相違に
よってフィット感を向上させたり、手首の微妙な形状に対応できるとともに、素材の有する色などの組み合わせなどによってデザインバリエーションの拡大を図れる。
【０１８４】
さらに、複数の略平行なバンド部材５６の付勢力が相違するようにすることもできる。このように構成することにより、複数の略平行なバンド部材５６の付勢力の相違よってフィット感を向上させたり、手首の微妙な形状に対応できる。
【０１８５】
また、図１６に示したように、複数の略平行なバンド部材５６を相互に連結するブリッジ部材５８を備えるようにすることもできる。
【０１８６】
このように複数の略平行なバンド部材５６を相互に連結するブリッジ部材５８を備えることによって、バンド本体１６の機械的強度を増すことができ、繰り返しの使用に耐えることができる。
【０１８７】
なお、この場合、ブリッジ部材５８の数、形状、配置間隔などは、特に限定されるものではなく、適宜変更することが可能である。
【０１８８】
以上説明したバリエーションについては、下記の実施例においても適用することが可能である。
【０１８９】
図１７は、本発明の生体測定装置用のバンドと生体測定装置の別の実施例の図１と同様な分解斜視図、図１８は、は、図１７の生体測定装置用のバンドに生体測定装置を装着して、生体の左手首に装着した状態の肘側から見た図３と同様な概略断面図、図１９は、手首の太さが相違する生体の左手首に装着した状態を示す図１８と同様な肘側から見た図４と同様な概略断面図である。
【０１９０】
この実施例のバンド１０は、図１〜図４に示したバンド１０と基本的には同様な構成であり、同一の構成部材には、同一の参照番号を付して、その詳細な説明を省略する。
【０１９１】
この実施例のバンド１０では、図１７〜図１９に示したように、バンド本体１６に、手の平側の開放端部１８と手の甲側の開放端部２０とを締め付ける補助バンド部材６０が装着されている。
【０１９２】
具体的には、図１７に示したように、この補助バンド部材６０は、手の甲側の開放端部２０に一端が固定された補助バンド６２を備えており、この補助バンド６２を係止リング６４に挿通して折り返した状態となっている。また、補助バンド６２の先端部内側面に設けられた係止突起部６６と、補助バンド６２の基端部の外側面に設けられた係止ループ部６８とからなるいわゆる面ファスナーを備えており、補助バンド６２の係止突起部６６と、補助バンド６２の係止ループ部６８とを当接させて係止した状態となっている。さらに、手の平側の開放端部１８に、略フック形状の補助バンドフック７０を備えている。
【０１９３】
そして、バンド本体１６を手首１４に装着する際には、補助バンド６２の折り返した状態の先端部に位置する係止リング６４を、手の平側の開放端部１８に設けられ補助バンドフック７０に引っ掛けて係止する。この状態で、補助バンド６２の係止突起部６６と、補助バンド６２の係止ループ部６８とを当接させて係止する位置を変更することによって、任意の位置に着脱自在に固定することができるようになっている。
【０１９４】
なお、補助バンド部材６０としては、このような面ファスナーを用いた構造以外にも、公知の時計バンドに用いられている、例えば、中留部材などを用いることができ、特に限定されるものではない。
【０１９５】
このように構成することによって、補助バンド部材６０によって手の平側の開放端部１８と手の甲側の開放端部２０とを締め付けることができるので、バンド本体１６を手首１４に装着した際に、バンド本体１６の手首１４への装着状態を安定して維持することができ、手首１４の周囲でのバンド本体１６の回転、抜け落ちなどを効果的に防止することができる。
【０１９６】
しかも、補助バンド部材６０によって手の平側の開放端部１８と手の甲側の開放端部２０とを締め付けることができるので、センサーの検出面３０を手首側に適度な押圧力で押圧することができ、これにより、センサーによって正確な生体の情報を測定することができる。
【０１９７】
また、この場合、補助バンド部材６０の補助バンド６２を、例えば、ゴム、スプリングなどの弾性部材から構成してもよい。
【０１９８】
このように補助バンド６２が、弾性部材から構成されているので、この弾性部材の弾性力によって、補助バンド６２によって手の平側の開放端部１８と手の甲側の開放端部２０とを締め付けることができ、バンド本体１６を手首に装着した際に、バンド本体１６の手首１４への装着状態を安定して維持することができ、手首１４の周囲でのバンド本体１６の回転、抜け落ちなどを効果的に防止することができるとともに、センサーの検出面３０側を手首側に適度な押圧力で押圧することができ、これにより、センサーによって正確な生体の情報を測定することができる。
【０１９９】
なお、この場合にも、図２１に示したように、バンド本体１６の内部に、手首１４に装着した状態で、開放端部１８、２０同士を接近する方向に内側に付勢する弾性部材４４を介装するようにしても良い。
【０２００】
すでに説明したとおり、生体測定装置１２に搭載する生体の情報を測定するセンサーは、さまざまなものを用いることができる。
発汗度を測定するためには、特に限定しないが、湿度センサーを用いる。湿度センサーは、高分子系、金属酸化物系などのセンサーが知られている。例えば、高分子系のセンサーは、高分子膜の水分の吸収、放出に伴う誘電率の変化から、センサー周囲の相対湿度を測定するものである。これらの湿度センサーは、いわゆるコンデンサ型が良く知られており、コンデンサの平行平板電極間に高分子フィルムを挟持したものであって、吸収する水分の量に応じて静電容量が変化するものである。
【０２０１】
また、発汗度は、皮膚抵抗センサーを用いてもよい。皮膚抵抗センサーは、特に限定しないが、独立した２つの電極を皮膚に当て、その電極間に微弱な電流を流すことで皮膚の抵抗を測定するものである。皮膚抵抗センサーを用いると、装着者の発汗度のみならず、皮膚の動きも検出することができる。
【０２０２】
温度を測定するためには、特に限定しないが、温度センサーを用いる。温度センサーは、接触式や非接触式が知られている。前者はサーミスタや熱電対、後者はサーモパイル（赤外線センサー）が知られている。サーミスタは半導体の温度特性を利用した抵抗温度センサーであって、サーモパイルは物体から放射される赤外線を受けて、そのエネルギー量に応じた熱起電力を発生させるものである。
【０２０３】
これらのセンサーを搭載する実施例について、以下に図２０を用いて説明する。
図２０は、本発明の生体測定装置用のバンドと生体測定装置の分解斜視図である。
この実施例のバンド１０は、図１７〜図１９に示したバンド１０と基本的には同様な構
成であり、同一の構成部材には、同一の参照番号を付して、その詳細な説明を省略する。
この実施例のバンド１０では、図２０に示したように、生体測定装置１２の手首１４側のセンサー検出部２８には、センサーの検出面３０に、センサーとして、脈波を測定するため脈波測定センサー７２、装着者の発汗度または皮膚の動きを測定する皮膚抵抗センサー７４、発汗度を測定するための湿度センサー７６、温度（体温）を測定するための温度センサー７８が設けられている。
なお、これらのセンサーの組み合わせは特に限定されるものではなく、適宜選択すればよい。
【０２０４】
以上、本発明の好ましい実施の態様を説明してきたが、本発明はこれに限定されることはなく、例えば、上記実施例では、バンド１０は、手首１４の尺骨１４ｂ側が開放した略Ｕ字形状に形成したが、図示しないが、手首１４の橈骨ｄ側が開放した略Ｕ字形状とすることもできる。
なお、この場合には、バンド本体を手首に装着した際に、尺骨突起によってバンド本体が浮いた状態とならず、また、バンド本体の手首への装着状態を安定して維持することができ、抜け落ちなどを防止するためには、図１２と同様にして、バンド本体１６の手の甲１４ｅ側の開放端部２０が、手首１４の尺骨突起１４ｃを超えて延設されているとともに、尺骨突起露出用の切り欠き部１６ｄ、または、図１３に示したように、尺骨突起露出用の開口部１６ｅを設けるようにすればよい。
また、この場合に、図１４と同様に、バンド本体１６を略Ｓ字形状にしたり、図１５と同様に、バンド本体１６を、複数の略平行なバンド部材５６から構成したり、図１６に示したように、複数の略平行なバンド部材５６を相互に連結するブリッジ部材５８を備えるようにすることもできる。さらに、図１７と同様に、バンド本体１６に、手の平側の開放端部１８と手の甲側の開放端部２０とを締め付ける補助バンド部材６０を装着するようにすればよい。
【０２０５】
また、上記実施例では、バンド１０を手首に装着するようにしたが、例えば、腕、足首、膝部、指、首などその他の生体部位に装着するように構成することも可能であり、また、上記実施例では、生体として人体に適用したが、例えば、チンパンジーなどの動物の健康管理などのために装着するようにすることも可能であるなど本発明の目的を逸脱しない範囲で種々の変更が可能である。
【産業上の利用可能性】
【０２０６】
本発明の本発明の生体測定装置用のバンドは、装着者の手首の太さに関わらず装着状態を安定して維持できる。このため、特に精密に生体情報を測定する装置に好適である。
【図面の簡単な説明】
【０２０７】
【図１】図１は、本発明の生体測定装置用のバンドと生体測定装置の分解斜視図である。
【図２】図２は、図１の生体測定装置用のバンドに生体測定装置を装着して、生体の左手首に装着した状態の斜視図である。
【図３】図３は、図１の生体測定装置用のバンドに生体測定装置を装着して、生体の左手首に装着した状態の肘側から見た概略断面図である。
【図４】図４は、手首の太さが相違する生体の左手首に装着した状態を示す図３と同様な肘側から見た概略断面図である。
【図５】図５は、生体測定装置用のバンドに生体測定装置を装着して、生体の左手首に装着した状態の肘側から見た別の実施例の概略断面図である。
【図６】図６は、生体測定装置用のバンドのバンド本体の別の実施例の概略断面図である。
【図７】図７は、生体測定装置用のバンドのバンド本体の別の実施例の概略断面図である。
【図８】図８は、生体測定装置用のバンドのバンド本体の別の実施例の概略断面図である。
【図９】図９は、生体測定装置用のバンドのバンド本体の別の実施例の概略断面図である。
【図１０】図１０は、生体測定装置用のバンドのバンド本体の別の実施例の概略断面図である。
【図１１】図１１は、生体測定装置用のバンドに生体測定装置を装着して、生体の左手首に装着した状態の手の甲側から見た別の実施例の概略平面図である。
【図１２】図１２は、生体測定装置用のバンドに生体測定装置を装着して、生体の左手首に装着した状態の手の甲側から見た別の実施例の概略平面図である。
【図１３】図１３は、生体測定装置用のバンドに生体測定装置を装着して、生体の左手首に装着した状態の手の甲側から見た別の実施例の概略平面図である。
【図１４】図１４は、生体測定装置用のバンドに生体測定装置を装着して、生体の左手首に装着した状態の手の甲側から見た別の実施例の概略平面図である。
【図１５】図１５は、生体測定装置用のバンドに生体測定装置を装着して、生体の左手首に装着した状態の手の甲側から見た別の実施例の概略平面図である。
【図１６】図１６は、生体測定装置用のバンドに生体測定装置を装着して、生体の左手首に装着した状態の手の甲側から見た別の実施例の概略平面図である。
【図１７】図１７は、本発明の生体測定装置用のバンドと生体測定装置の別の実施例の図１と同様な分解斜視図である。
【図１８】図１８は、図１７の生体測定装置用のバンドに生体測定装置を装着して、生体の左手首に装着した状態の肘側から見た図３と同様な概略断面図である。
【図１９】図１９は、手首の太さが相違する生体の左手首に装着した状態を示す図１８と同様な肘側から見た図４と同様な概略断面図である。
【図２０】図２０は、本発明の生体測定装置用のバンドと生体測定装置の分解斜視図である。
【図２１】図２１は、生体測定装置用のバンドのバンド本体の別の実施例の概略断面図である。
【図２２】図２２（Ａ）は、従来の手首装着型の生体測定装置の上面図、図２２（Ｂ）は、その裏面図である。
【図２３】図２３は、図２２の従来の手首装着型の生体測定装置を左手首に装着した状態を説明する斜視図である。
【図２４】図２４は、従来の手首血圧計用カフの断面図である。
【図２５】図２５は、従来の手首血圧計用カフの断面図である。
【符号の説明】
【０２０８】
１０   バンド
１２   生体測定装置
１４   手首
１４ａ 手の平
１４ｂ 尺骨
１４ｃ 尺骨突起
１４ｄ 橈骨
１４ｅ 手の甲
１４ｆ 橈骨動脈
１６   バンド本体
１６ａ 手の平部分
１６ｂ 中間部分
１６ｃ 手の甲部分
１６ｄ 切り欠き部
１６ｅ 開口部
１８，２０    開放端部
２２   開放部分
２４   生体測定装置本体
２６   嵌合部
２８   センサー検出部
３０   検出面
３２   風防
３４   装着用開口部
３６   縦枠部
３８   固定ネジ用孔
４０   固定用ネジ孔
４２   固定ネジ
４４   弾性部材
４６   凹凸部
４８   貫通孔
５０   バンド本体部材
５２   バンド本体部材
５４   連結部
５６   バンド部材
５８   ブリッジ部材
６０   補助バンド部材
６２   補助バンド
６４   係止リング
６６   係止突起部
６８   係止ループ部
７０   補助バンドフック
１００ 健康管理腕時計
１０２ 腕時計本体
１０４ 脈波測定用センサー
１０６ 体温測定用センサー
１０８ 腕時計バンド
１１０ 表示部
２００ 手首血圧計用カフ
２０２ 帯体
２０４ 外側シート
２０６ 内側シート
２０８ 空気袋
２１０ カーラー
３００ バンド
３００ 時計バンド
３０１ 腕時計本体
３０２ 部材
３０４ 芯材
３０６ 開口部
Ｓ     間隙
【図１】
2008168054.tif 000003
【図２】
2008168054.tif 000004
【図３】
2008168054.tif 000005
【図４】
2008168054.tif 000006
【図５】
2008168054.tif 000007
【図６】
2008168054.tif 000008
【図７】
2008168054.tif 000009
【図８】
2008168054.tif 000010
【図９】
2008168054.tif 000011
【図１０】
2008168054.tif 000012
【図１１】
2008168054.tif 000013
【図１２】
2008168054.tif 000014
【図１３】
2008168054.tif 000015
【図１４】
2008168054.tif 000016
【図１５】
2008168054.tif 000017
【図１６】
2008168054.tif 000018
【図１７】
2008168054.tif 000019
【図１８】
2008168054.tif 000020
【図１９】
2008168054.tif 000021
【図２０】
2008168054.tif 000022
【図２１】
2008168054.tif 000023
【図２２】
2008168054.tif 000024
【図２３】
2008168054.tif 000025
【図２４】
2008168054.tif 000026
【図２５】
2008168054.tif 000027